(57)【要約】【課題】高輝度の光を射出すると共に、大型化を抑制して冷却装置を備えた照明装置を提供する。【解決手段】照明装置３１は、Ｘ方向において互いに対向する方向に光を射出する第１光源装置４１Ａ，４１Ｂおよび第２光源装置４２Ａ，４２Ｂと、第１光源装置４１Ａ，４１Ｂと第２光源装置４２Ａ，４２Ｂとの間に配置され、第１光源装置４１Ａ，４１Ｂおよび第２光源装置４２Ａ，４２Ｂから射出された光を、Ｘ方向と交差するＹ方向に反射する反射部５と、Ｘ方向およびＹ方向に交差するＺ方向における反射部５の片側に配置され、第１光源装置４１Ａ，４１Ｂおよび第２光源装置４２Ａ，４２Ｂに冷却空気を送風する冷却装置６と、を備える。【選択図】図３
2017003792.tif 000002
【特許請求の範囲】
【請求項１】
第１方向において互いに対向する方向に光を射出する第１光源装置および第２光源装置
と、
前記第１光源装置と前記第２光源装置との間に配置され、前記第１光源装置および前記
第２光源装置から射出された光を、前記第１方向と交差する第２方向に反射する反射部と
、
前記第１方向および前記第２方向に交差する第３方向における前記反射部の片側に配置
され、前記第１光源装置および前記第２光源装置に冷却空気を送風する冷却装置と、
を備えることを特徴とする照明装置。
【請求項２】
請求項１に記載の照明装置であって、
前記冷却装置は、前記第１光源装置に冷却空気を送風する第１冷却ファンと、前記第２
光源装置に冷却空気を送風する第２冷却ファンと、を備え、
前記第１冷却ファンと前記第２冷却ファンとは、前記第２方向に沿って配置されること
を特徴とする照明装置。
【請求項３】
請求項２に記載の照明装置であって、
前記第１冷却ファンおよび前記第２冷却ファンは、羽根の回転中心軸に沿う方向から取
り込んだ冷却空気を回転接線方向に吐出するシロッコファンであり、前記反射部とは反対
側に冷却空気を取り込む吸気口を有し、取り込んだ冷却空気を吐出する吐出口が、前記第
１冷却ファンにおいては、前記第１光源装置側を向き、前記第２冷却ファンにおいては、
前記第２光源装置側を向いて配置されることを特徴とする照明装置。
【請求項４】
請求項３に記載の照明装置であって、
前記第１光源装置と前記第２光源装置とは、互いの光軸が前記第３方向にずれて配置さ
れ、
前記第１冷却ファンは、前記第２冷却ファンに対し、前記第１光源装置が前記第２光源
装置に対してずれている方向と同じ方向にずれて配置されることを特徴とする照明装置。
【請求項５】
請求項３または請求項４に記載の照明装置であって、
前記第１冷却ファンと前記第２冷却ファンとは、一部が重なるように配置されることを
特徴とする照明装置。
【請求項６】
請求項５に記載の照明装置であって、
前記第１冷却ファンおよび前記第２冷却ファンは、冷却空気を吐出する吐出方向が前記
第１方向に対して傾斜し、前記第２方向に対する角度より前記第１方向に対する角度が小
さくなるように配置されていることを特徴とする照明装置。
【請求項７】
請求項５または請求項６に記載の照明装置であって、
前記第１冷却ファンおよび前記第２冷却ファンは、取り込んだ冷却空気が前記回転接線
方向に沿って流通する流通部を有し、前記流通部が互いの回転中心軸の間に位置するよう
に配置されることを特徴とする照明装置。
【請求項８】
請求項２〜請求項７のいずれか一項に記載の照明装置であって、
前記第１光源装置および前記第２光源装置は、前記第２方向に沿って複数組備えられる
ことを特徴とする照明装置。
【請求項９】
請求項２〜請求項７のいずれか一項に記載の照明装置であって、
前記第１光源装置および前記第２光源装置は、前記第２方向に沿って２組備えられるこ
とを特徴とする照明装置。
【請求項１０】
請求項８または請求項９に記載の照明装置であって、
前記冷却装置は、複数の前記第１冷却ファンと、複数の前記第２冷却ファンと、を備え
、
当該照明装置は、複数の前記第１冷却ファンおよび複数の前記第２冷却ファンのうちの
、当該照明装置における最も光路後段側から順次配置される１つまたは２つの冷却ファン
を保持する後段側保持体を備え、
前記後段側保持体は、当該後段側保持体が保持する冷却ファン以外の冷却ファンが当該
照明装置に組み込まれた状態で着脱可能であることを特徴とする照明装置。
【請求項１１】
請求項１〜請求項１０のいずれか一項に記載の照明装置と、
前記照明装置から射出された光を変調する光変調装置と、
前記光変調装置にて変調された光を投写する投写光学装置と、
を備えることを特徴とするプロジェクター。
【発明の詳細な説明】
【技術分野】
【０００１】
本発明は、照明装置、およびプロジェクターに関する。
【背景技術】
【０００２】
従来、光源から射出された光を画像情報に応じて変調し、変調した光をスクリーン等の
投写面に投写するプロジェクターが知られている。また、より明るい画像を投写するため
に複数の光源を備え、この光源を冷却するように構成した装置が提案されている（例えば
、特許文献１参照）。
【０００３】
特許文献１に記載の装置（ランプユニット）は、筺体構造を形成するランプファンベー
スと、４つの光源ランプがそれぞれ装着される４つのランプホルダを有し、移動可能にラ
ンプファンベースに支持されたランプケースと、送風ファンが載置され、ランプファンベ
ースに支持されたファンベースと、ファンベースに設けられ、送風ファンからの空気を光
源ランプの発光部に向けて導風するダクトとを備える。送風ファンは、４つのランプホル
ダに対応して４つ設けられ、それぞれが各ランプホルダの上方に配置されている。
【先行技術文献】
【特許文献】
【０００４】
【特許文献１】特開２０１３−２１８１０１号公報
【発明の概要】
【発明が解決しようとする課題】
【０００５】
しかしながら、特許文献１に記載のランプユニットは、４つの送風ファンそれぞれが各
ランプホルダに積層される構造なので、装置が大型化することや、装置全体の厚みが厚く
なるという課題がある。
【課題を解決するための手段】
【０００６】
本発明は、上述の課題の少なくとも一部を解決するためになされたものであり、以下の
形態または適用例として実現することが可能である。
【０００７】
［適用例１］本適用例に係る照明装置は、第１方向において互いに対向する方向に光を
射出する第１光源装置および第２光源装置と、前記第１光源装置と前記第２光源装置との
間に配置され、前記第１光源装置および前記第２光源装置から射出された光を、前記第１
方向と交差する第２方向に反射する反射部と、前記第１方向および前記第２方向に交差す
る第３方向における前記反射部の片側に配置され、前記第１光源装置および前記第２光源
装置に冷却空気を送風する冷却装置と、を備えることを特徴とする。
【０００８】
この構成によれば、照明装置は複数の光源装置、反射部、および第３方向における反射
部の片側に配置された冷却装置を備えている。この反射部の第３方向における片側は、光
源装置からの光の光路になることもなく、またデッドスペースになりがちな領域なので、
冷却装置を効率良く配置することが可能となる。よって、高輝度の光を射出すると共に、
大型化の抑制および複数の光源装置の劣化を抑制した照明装置を提供することが可能とな
る。
【０００９】
［適用例２］上記適用例に係る照明装置において、前記冷却装置は、前記第１光源装置
に冷却空気を送風する第１冷却ファンと、前記第２光源装置に冷却空気を送風する第２冷
却ファンと、を備え、前記第１冷却ファンと前記第２冷却ファンとは、前記第２方向に沿
って配置されることが好ましい。
【００１０】
この構成によれば、照明装置は、第２方向に沿って配置される第１冷却ファンと第２冷
却ファンとを備える。これによって、第１方向における冷却装置の大型化を抑制すると共
に、第１光源装置および第２光源装置を確実に冷却できる照明装置の提供が可能となる。
【００１１】
［適用例３］上記適用例に係る照明装置において、前記第１冷却ファンおよび前記第２
冷却ファンは、羽根の回転中心軸に沿う方向から取り込んだ冷却空気を回転接線方向に吐
出するシロッコファンであり、前記反射部とは反対側に冷却空気を取り込む吸気口を有し
、取り込んだ冷却空気を吐出する吐出口が、前記第１冷却ファンにおいては、前記第１光
源装置側を向き、前記第２冷却ファンにおいては、前記第２光源装置側を向いて配置され
ることが好ましい。
【００１２】
この構成によれば、第１冷却ファンおよび第２冷却ファンは、シロッコファンで構成さ
れ、反射部とは反対側に吸気口を有している。シロッコファンは、軸流ファンに比べて吐
出する冷却空気の吐出圧が高いので、光源装置内の光源に冷却空気を集中して送風するこ
とができる。よって、冷却空気を効率良く取り込み、効率良く光源装置を冷却できる冷却
装置を備えた照明装置を提供することが可能となる。
【００１３】
［適用例４］上記適用例に係る照明装置において、前記第１光源装置と前記第２光源装
置とは、互いの光軸が前記第３方向にずれて配置され、前記第１冷却ファンは、前記第２
冷却ファンに対し、前記第１光源装置が前記第２光源装置に対してずれている方向と同じ
方向にずれて配置されることが好ましい。
【００１４】
この構成によれば、第１冷却ファンおよび第２冷却ファンは、第１光源装置および第２
光源装置の位置に対応して配置されているので、第１冷却ファンから第１光源装置に至る
流路と、第２冷却ファンから第２光源装置に至る流路とを、長さや形状において、同等の
ものとすることが可能となる。よって、第１光源装置および第２光源装置を効率良く、同
様に冷却することが可能となる。
【００１５】
［適用例５］上記適用例に係る照明装置において、前記第１冷却ファンと前記第２冷却
ファンとは、一部が重なるように配置されることが好ましい。
【００１６】
この構成によれば、第２方向に沿って配置される第１冷却ファンおよび第２冷却ファン
は、一部が重なるように配置されるので、第２方向における冷却装置の大型化の抑制、ひ
いては第２方向における照明装置の大型化の抑制が可能となる。また、２つの冷却ファン
が重ならないように配置される構成に比べ、照明装置を大型化することなく平面視におけ
るサイズが大型のファンを採用できるので、送風する冷却空気の風量を高め、より効率的
に光源装置を冷却することが可能となる。
【００１７】
［適用例６］上記適用例に係る照明装置において、前記第１冷却ファンおよび前記第２
冷却ファンは、冷却空気を吐出する吐出方向が前記第１方向に対して傾斜し、前記第２方
向に対する角度より前記第１方向に対する角度が小さくなるように配置されていることが
好ましい。
【００１８】
この構成によれば、第１冷却ファンおよび第２冷却ファンは、シロッコファンで、上述
したように配置されている。これによって、一方の冷却ファンの一部が他方の冷却ファン
に重なって配置されても、他方の冷却ファンの吸気口が塞がれることなく対向して配置さ
れる第１光源装置および第２光源装置の中央に向けて冷却空気を送風することが可能とな
る。よって、第１光源装置および第２光源装置を効率良く冷却することが可能となる。
また、第１冷却ファンおよび第２冷却ファンとして吐出する冷却空気の風速や風量が同
等の能力を有するものを用いることが可能なので、第１光源装置および第２光源装置を同
様に冷却することが可能となる。
【００１９】
［適用例７］上記適用例に係る照明装置において、前記第１冷却ファンおよび前記第２
冷却ファンは、取り込んだ冷却空気が前記回転接線方向に沿って流通する流通部を有し、
前記流通部が互いの回転中心軸の間に位置するように配置されることが好ましい。
【００２０】
この構成によれば、第１冷却ファンおよび第２冷却ファンから取り込まれた冷却空気は
、流通部から直線的に吐出口に向かい吐出口から吐出される。これによって、第１冷却フ
ァンおよび第２冷却ファンの流通部が互いの回転中心軸の間の外側となるように配置され
る構成に比べ、第１方向に対する冷却空気の吐出方向の角度を小さくすることが可能とな
る。よって、各冷却ファンから吐出された冷却空気の風量や風速の損失を抑制し、効率良
く各光源装置を冷却することが可能となる。
【００２１】
［適用例８］上記適用例に係る照明装置において、前記第１光源装置および前記第２光
源装置は、前記第２方向に沿って複数組備えられることが好ましい。
【００２２】
この構成によれば、照明装置は、４つ以上の光源装置、および各光源装置に冷却空気を
送風する冷却装置を備えているので、より高輝度の光を射出すると共に、確実に各光源装
置を冷却することが可能となる。
【００２３】
［適用例９］上記適用例に係る照明装置において、前記第１光源装置および前記第２光
源装置は、前記第２方向に沿って２組備えられることが好ましい。
【００２４】
この構成によれば、照明装置は、４つの光源装置、および各光源装置に冷却空気を送風
する冷却装置を備えているので、より高輝度の光を射出すると共に、確実に４つの光源装
置を冷却することが可能となる。
【００２５】
［適用例１０］上記適用例に係る照明装置において、前記冷却装置は、複数の前記第１
冷却ファンと、複数の前記第２冷却ファンと、を備え、当該照明装置は、複数の前記第１
冷却ファンおよび複数の前記第２冷却ファンのうちの、当該照明装置における最も光路後
段側から順次配置される１つまたは２つの冷却ファンを保持する後段側保持体を備え、前
記後段側保持体は、当該後段側保持体が保持する冷却ファン以外の冷却ファンが当該照明
装置に組み込まれた状態で着脱可能であることが好ましい。
【００２６】
この構成によれば、照明装置は、後段側保持体が上述したように構成されているので、
照明装置が搭載される機器において、後段側保持体を後段側保持体が保持する冷却ファン
と共に着脱することが可能となる。これによって、機器内の後段側保持体の近傍に配置さ
れる部材や装置（例えば、照明装置から射出される光が照射される光学部材等）を容易に
取り外すことが可能となる。よって、機器内の後段側保持体の近傍に配置される部材や装
置の修理や交換を容易に行うことが可能となる。
【００２７】
［適用例１１］本適用例に係るプロジェクターは、上記に記載の照明装置と、前記照明
装置から射出された光を変調する光変調装置と、前記光変調装置にて変調された光を投写
する投写光学装置と、を備えることを特徴とする。
【００２８】
この構成によれば、プロジェクターは、上述した照明装置を備えるので、大型化を抑制
しつつ、長期に亘って明るい画像の投写が可能となる。
【図面の簡単な説明】
【００２９】
【図１】本実施形態のプロジェクターの概略構成を示す模式図。
【図２】本実施形態の照明装置を上方から見た平面図。
【図３】本実施形態の照明装置の主な構成を示す斜視図。
【図４】本実施形態の照明装置の主な構成を示す平面図。
【図５】本実施形態の冷却装置の斜視図。
【図６】本実施形態の冷却装置の分解斜視図。
【図７】本実施形態の冷却装置の分解斜視図。
【図８】本実施形態のダクト部材を説明するための模式図。
【図９】変形例を示す図。
【発明を実施するための形態】
【００３０】
以下、本実施形態に係るプロジェクターについて、図面を参照して説明する。
本実施形態のプロジェクターは、光源から射出された光を画像情報に応じて変調し、変
調した光をスクリーン等の投写面に拡大投写する。また、本実施形態のプロジェクターは
、机上等に載置され、投写面に横長の画像を投写する横置き姿勢、および投写面に対向す
る側から見て、横置き姿勢から９０°回転され、投写面に縦長の画像を投写する縦置き姿
勢が可能に構成されている。
【００３１】
〔プロジェクターの主な構成〕
図１は、本実施形態のプロジェクター１の概略構成を示す模式図である。
プロジェクター１は、図１に示すように、外装を構成する外装筐体２、制御部（図示省
略）、および照明装置３１を有する光学ユニット３を備える。なお、図示は省略するが、
外装筐体２の内部には、さらに、照明装置３１や制御部等に電力を供給する電源装置、お
よび外装筐体２内を冷却するための吸気ファンや排気ファン、空気を導く部材等が配置さ
れている。また、以下では、説明の便宜上、横置き姿勢のプロジェクター１において、投
写面ＳＣ側を＋Ｙ側（前側）、投写面ＳＣに対向する側からみた右側を＋Ｘ側、鉛直方向
上側を＋Ｚ側として記載する。
【００３２】
外装筐体２は、詳細な説明は省略するが、複数の部材で構成され、外気を取り込む吸気
口、および外装筐体２内部の暖まった空気を外部に排気する排気口等が設けられている。
【００３３】
制御部は、ＣＰＵ（Central Processing Unit）やＲＯＭ（Read Only Memory）、ＲＡ
Ｍ（Random Access Memory）等の回路素子が実装された回路基板を有し、コンピューター
として機能するものであり、プロジェクター１の動作の制御、例えば、画像の投写に関わ
る制御や各種ファンの駆動等の制御等行う。
【００３４】
〔光学ユニットの構成〕
光学ユニット３は、制御部による制御の下、照明装置３１から射出された光を光学的に
処理して投写する。
光学ユニット３は、図１に示すように、照明装置３１に加え、インテグレーター照明光
学系３２、色分離光学系３３、光学装置３５、投写光学装置としての投写レンズ３６、お
よびこれらの光学部品３１〜３６を光路上の所定位置に配置する光学部品用筐体３７を備
える。
【００３５】
照明装置３１は後で詳細に説明するが、４つの光源装置（第１光源装置４１Ａ，４１Ｂ
、第２光源装置４２Ａ，４２Ｂ）、反射部５、および冷却装置６を備える。
照明装置３１は、各光源装置から射出された光を反射部５で反射し、インテグレーター
照明光学系３２に向けて射出する。
冷却装置６は、後述する４つの冷却ファンを備え、第１光源装置４１Ａ，４１Ｂおよび
第２光源装置４２Ａ，４２Ｂを冷却する。
【００３６】
インテグレーター照明光学系３２は、第１レンズアレイ３２１、第２レンズアレイ３２
２、偏光変換素子３２３、および重畳レンズ３２４を備える。
第１レンズアレイ３２１は、小レンズがマトリクス状に配列された構成を有しており、
照明装置３１から射出された光を複数の部分光に分割する。第２レンズアレイ３２２は、
第１レンズアレイ３２１と略同様の構成を有しており、重畳レンズ３２４とともに、部分
光を後述する液晶パネルの表面に略重畳させる。偏光変換素子３２３は、第２レンズアレ
イ３２２から射出されたランダム光を液晶パネルで利用可能な略１種類の偏光光に揃える
機能を有している。
【００３７】
色分離光学系３３は、２枚のダイクロイックミラー３３１，３３２、および反射ミラー
３３３〜３３６を備え、インテグレーター照明光学系３２から射出された光を赤色光（以
下「Ｒ光」という）、緑色光（以下「Ｇ光」という）、青色光（以下「Ｂ光」という）の
３色の色光に分離し、光学装置３５に導く。
【００３８】
光学装置３５は、各色光用に設けられた光変調装置３５１（Ｒ光用の光変調装置を３５
１Ｒ、Ｇ光用の光変調装置を３５１Ｇ、Ｂ光用の光変調装置を３５１Ｂとする）、および
色合成光学装置としてのクロスダイクロイックプリズム３５２を備えている。
各光変調装置３５１は、透過型の液晶パネル、液晶パネルの光入射側に配置された入射
側偏光板、および液晶パネルの光射出側に配置された射出側偏光板を備え、各色光を画像
情報に応じて変調する。
【００３９】
クロスダイクロイックプリズム３５２は、４つの直角プリズムを貼り合わせた平面視略
正方形状をなし、直角プリズム同士を貼り合わせた界面には、２つの誘電体多層膜が形成
されている。クロスダイクロイックプリズム３５２は、誘電体多層膜が光変調装置３５１
Ｒ，３５１Ｂにて変調されたＲ光およびＢ光を反射し、光変調装置３５１Ｇにて変調され
たＧ光を透過して、３色の変調光を合成する。
【００４０】
投写レンズ３６は、複数のレンズ（図示省略）を有して構成され、クロスダイクロイッ
クプリズム３５２にて合成された光を投写面ＳＣ上に拡大投写する。
【００４１】
〔照明装置の構成〕
ここで、照明装置３１について、詳細に説明する。
図２は、照明装置３１を上方から見た平面図であり、冷却装置６の後述する回路基板６
４（図５参照）を省略した図である。図３は、照明装置３１の主な構成を示す斜視図であ
る。図４は、照明装置３１の主な構成を示す平面図であり、（ａ）は、上方から見た図、
（ｂ）は−Ｙ側から見た図である。
照明装置３１は、図２〜図４に示すように、第１光源装置４１Ａ，４１Ｂ、第２光源装
置４２Ａ，４２Ｂ、反射部５、および冷却装置６に加え、レンズ体７Ａ，７Ｂ、光源装置
保持部８、および光源装置保持部８をスライド可能に支持し、光学部品用筐体３７に固定
されるベース部９を備える。
【００４２】
第１光源装置４１Ａ，４１Ｂおよび第２光源装置４２Ａ，４２Ｂは、超高圧水銀ランプ
やメタルハライドランプ等からなる放電型の光源４１１、リフレクター４１２、および光
源用筐体４１３を備え、光源４１１から射出された光をリフレクター４１２にて反射し、
射出方向を揃えて射出する。
【００４３】
第１光源装置４１Ａおよび第２光源装置４２Ａは、Ｘ方向において互いに対向する方向
に光を射出するように配置される。Ｘ方向は、第１方向に相当する。具体的に、第１光源
装置４１Ａは＋Ｘ方向に光を射出し、第２光源装置４２Ａは、−Ｘ方向に光を射出する。
第１光源装置４１Ｂおよび第２光源装置４２Ｂは、それぞれ第１光源装置４１Ａおよび
第２光源装置４２Ａの＋Ｙ側に配置され、第１光源装置４１Ａおよび第２光源装置４２Ａ
と同様に、Ｘ方向において互いに対向する方向に光を射出する。
すなわち、照明装置３１は、第１光源装置４１Ａおよび第２光源装置４２Ａと、第１光
源装置４１Ｂおよび第２光源装置４２Ｂという互いに対向する方向に光を射出する光源装
置を２組備え、この２組は、Ｘ方向（第１方向）と交差するＹ方向に沿って配置されてい
る。＋Ｙ方向は第２方向に相当する。また、第１光源装置４１Ａおよび第２光源装置４２
Ａは、上方から見た場合に、それぞれが射出する光の光軸４１Ａｘと光軸４２Ａｘとが一
致するように配置されている。同様に、第１光源装置４１Ｂおよび第２光源装置４２Ｂは
、上方から見た場合に、それぞれの光軸４１Ｂｘと光軸４２Ｂｘとが一致するように配置
されている。
【００４４】
また、図４（ｂ）に示すように、第１光源装置４１Ａと第２光源装置４２Ａとは、互い
の光軸４１Ａｘ，４２ＡｘがＸ方向（第１方向）および＋Ｙ方向（第２方向）に交差する
Ｚ方向にずれて配置される。同様に、第１光源装置４１Ｂと第２光源装置４２Ｂとは、互
いの光軸４１Ｂｘ，４２ＢｘがＺ方向にずれて配置されている。Ｚ方向は第３方向に相当
する。
具体的に、第１光源装置４１Ａと第２光源装置４２Ａとは、第１光源装置４１Ａの光軸
４１Ａｘが第２光源装置４２Ａの光軸４２Ａｘより上方に位置するように配置され、第１
光源装置４１Ｂと第２光源装置４２Ｂとは、第１光源装置４１Ｂの光軸４１Ｂｘが第２光
源装置４２Ｂの光軸４２Ｂｘより下方に位置するように配置されている。また、Ｚ方向に
おいて、第１光源装置４１Ｂは、第２光源装置４２Ａと略同じ位置に配置され、第２光源
装置４２Ｂは、第１光源装置４１Ａと略同じ位置に配置される。
【００４５】
光源装置保持部８は、図２に示すように、第１光源装置４１Ａ，４１Ｂを保持する第１
枠体８１、および第２光源装置４２Ａ，４２Ｂを保持する第２枠体８２を備える。
第１枠体８１は、＋Ｘ側および−Ｘ側が開口して形成されており、第１光源装置４１Ａ
，４１Ｂは、第１枠体８１の内部に保持される。第２枠体８２は、第１枠体８１と同様に
、＋Ｘ側および−Ｘ側が開口して形成されており、第２光源装置４２Ａ，４２Ｂは、第２
枠体８２の内部に保持される。また、第１枠体８１および第２枠体８２それぞれには、−
Ｙ側の壁部に−Ｙ方向に突出する把持部８１１、８２１が形成されている。
【００４６】
そして、第１枠体８１は、Ｙ方向にスライド可能に構成され、第１光源装置４１Ａ，４
１Ｂは、第１枠体８１に保持された状態で把持部８１１がユーザーに把持されて着脱され
る。第２枠体８２は、第１枠体８１と同様に、Ｙ方向にスライド可能に構成され、第２光
源装置４２Ａ，４２Ｂは、第２枠体８２に保持された状態で把持部８２１がユーザーに把
持されて着脱される。
【００４７】
反射部５は、図３に示すように、第１反射ミラー５１Ａ，５１Ｂ、第２反射ミラー５２
Ａ，５２Ｂおよびこれらの部材を保持する保持部材（図示省略）を備える。
第１反射ミラー５１Ａおよび第２反射ミラー５２Ａは、図３、図４（ｂ）に示すように
、第１光源装置４１Ａと第２光源装置４２Ａとの間に配置される。また、第１反射ミラー
５１Ａおよび第２反射ミラー５２Ａは、第１光源装置４１Ａ、第２光源装置４２Ａの位置
に対応して第１反射ミラー５１Ａが第２反射ミラー５２Ａの上方に位置して配置される。
そして、第１反射ミラー５１Ａおよび第２反射ミラー５２Ａそれぞれは、第１光源装置４
１Ａ、第２光源装置４２Ａから射出された光をＸ方向（第１方向）と交差する＋Ｙ方向（
第２方向）に反射する。
【００４８】
第１反射ミラー５１Ｂおよび第２反射ミラー５２Ｂは、図３に示すように、第１光源装
置４１Ｂと第２光源装置４２Ｂとの間に配置される。また、第１反射ミラー５１Ｂおよび
第２反射ミラー５２Ｂは、第１光源装置４１Ｂ、第２光源装置４２Ｂの位置に対応して第
１反射ミラー５１Ｂが第２反射ミラー５２Ｂの下方に位置して配置される。そして、第１
反射ミラー５１Ｂおよび第２反射ミラー５２Ｂそれぞれは、第１光源装置４１Ｂ、第２光
源装置４２Ｂから射出された光を＋Ｙ方向（第２方向）に反射する。
【００４９】
レンズ体７Ａ，７Ｂは、反射部５で反射した光の進行方向を整える機能を有している。
レンズ体７Ａは、図３、図４（ｂ）に示すように、平面視矩形状から四隅がカットされ
た形状を有しており、上下左右に分割された４つの領域のうち、左上の領域に第１レンズ
部７１ａが設けられ、右下の領域に第２レンズ部７２ａが設けられている。また、第１レ
ンズ部７１ａは、第１反射ミラー５１Ａで反射した光が入射する位置に形成され、第２レ
ンズ部７２ａは、第２反射ミラー５２Ａで反射した光が入射する位置に形成されている。
なお、レンズ体７Ａは、上下左右に分割された４つの領域のうち、左下の領域および右上
の領域に被レンズ部７Ａｎを有している。
【００５０】
レンズ体７Ｂは、レンズ体７Ａと同様に、平面視矩形状から四隅がカットされた形状を
有しており、上下左右に分割された４つの領域のうち、左下の領域に第１レンズ部７１ｂ
（図示省略）が設けられ、右上の領域に第２レンズ部７２ｂ（図３参照）が設けられてい
る。また、第１レンズ部７１ｂは、第１反射ミラー５１Ｂで反射した光が入射する位置に
形成され、第２レンズ部７２ｂは、第２反射ミラー５２Ｂで反射した光が入射する位置に
形成されている。なお、レンズ体７Ｂは、上下左右に分割された４つの領域のうち、左上
の領域および右下の領域に被レンズ部７Ｂｎを有している。
【００５１】
第１光源装置４１Ａから射出された光は、第１反射ミラー５１Ａで反射した後、第１レ
ンズ部７１ａおよびレンズ体７Ｂの被レンズ部７Ｂｎを透過して第１レンズアレイ３２１
の平面視上における左上側の領域に入射する。第２光源装置４２Ａから射出された光は、
第２反射ミラー５２Ａで反射した後、第２レンズ部７２ａおよびレンズ体７Ｂの被レンズ
部７Ｂｎを透過して第１レンズアレイ３２１の平面視上における右下側の領域に入射する
。
【００５２】
第１光源装置４１Ｂから射出された光は、第１反射ミラー５１Ｂで反射した後、第１レ
ンズ部７１ｂを透過して第１レンズアレイ３２１の平面視上における左下側の領域に入射
する。第２光源装置４２Ｂから射出された光は、第２反射ミラー５２Ｂで反射した後、第
２レンズ部７２ｂを透過して第１レンズアレイ３２１の平面視上における右上側の領域に
入射する。
このように、第１光源装置４１Ａ，４１Ｂおよび第２光源装置４２Ａ，４２Ｂから射出
された光は、第１レンズアレイ３２１における平面視上、上下左右に分割されたような４
つの領域それぞれに入射する。
【００５３】
図５は、冷却装置６の斜視図である。
冷却装置６は、図２、図５に示すように、第１冷却ファン６１Ａ，６１Ｂ、第２冷却フ
ァン６２Ａ，６２Ｂ、保持部６３、回路基板６４、およびダクト部６５（図８参照）を備
え、Ｚ方向（第３方向、上下方向）における反射部５の片側、本実施形態では反射部５の
上方側に配置される。
【００５４】
第１冷却ファン６１Ａ，６１Ｂ、第２冷却ファン６２Ａ，６２Ｂは、図４に示すように
、それぞれ第１光源装置４１Ａ，４１Ｂ、第２光源装置４２Ａ，４２Ｂに対応して設けら
れている。具体的に、第１冷却ファン６１Ａは、第１光源装置４１Ａに冷却空気を送風し
、第１冷却ファン６１Ｂは、第１光源装置４１Ｂに冷却空気を送風する。そして、第２冷
却ファン６２Ａは、第２光源装置４２Ａに冷却空気を送風し、第２冷却ファン６２Ｂは、
第２光源装置４２Ｂに冷却空気を送風する。
【００５５】
第１冷却ファン６１Ａ，６１Ｂ、および第２冷却ファン６２Ａ，６２Ｂは、羽根６ｗの
回転中心軸６ｊに沿う方向から取り込んだ冷却空気を回転接線方向に吐出するシロッコフ
ァンである。そして、第１冷却ファン６１Ａ，６１Ｂ、および第２冷却ファン６２Ａ，６
２Ｂは、図４（ａ）に示すように、円柱状の片側（＋Ｚ側）に設けられた冷却空気を取り
込む吸気口６ｉ、取り込んだ冷却空気が回転接線方向に沿って流通する流通部６ｆ、流通
部６ｆを流通した冷却空気が外部に吐出される吐出口６ｅ、および取付用突起部６ｍを有
している。また、第１冷却ファン６１Ａ，６１Ｂ、および第２冷却ファン６２Ａ，６２Ｂ
は、共通のシロッコファンが用いられている。
【００５６】
そして、第１冷却ファン６１Ａ，６１Ｂ、および第２冷却ファン６２Ａ，６２Ｂは、図
３、図４に示すように、吸気口６ｉが反射部５とは反対側（＋Ｚ側）に開口し、吐出口６
ｅがそれぞれ冷却対象の光源装置側を向いて＋Ｙ方向（第２方向）に沿って配置される。
具体的に、４つの冷却ファンは、−Ｙ側から順に、第１冷却ファン６１Ａ、第２冷却ファ
ン６２Ａ、第１冷却ファン６１Ｂ、第２冷却ファン６２Ｂの順で配置される。すなわち、
第１冷却ファン６１Ａ，６１Ｂと、第２冷却ファン６２Ａ，６２Ｂとは、第２方向に沿っ
て交互に配置される。そして、第１冷却ファン６１Ａ，６１Ｂは、それぞれの吐出口６ｅ
が第１光源装置４１Ａ，４１Ｂ側を向き、第２冷却ファン６２Ａ，６２Ｂは、それぞれの
吐出口６ｅが第２光源装置４２Ａ，４２Ｂ側を向いて配置される。
【００５７】
また、図４（ａ）に示すように、第１冷却ファン６１Ａと第２冷却ファン６２Ａと、お
よび第１冷却ファン６１Ｂと第２冷却ファン６２Ｂとは、一部が重なるように配置され、
第２冷却ファン６２Ａと第１冷却ファン６１Ｂとは、Ｙ方向において離間して配置されて
いる。すなわち、対向して配置される光源装置それぞれに冷却空気を送風する冷却ファン
は、一部が重なるように配置される。
【００５８】
具体的に、第１冷却ファン６１Ａは、第２冷却ファン６２Ａに対し、第１光源装置４１
Ａが第２光源装置４２Ａに対してずれている方向と同じ方向にずれ、＋Ｙ側端部が第２冷
却ファン６２Ａの−Ｙ側端部に重なるように配置される。すなわち、第１冷却ファン６１
Ａは、第２冷却ファン６２Ａの上方に位置し、第２冷却ファン６２Ａの吸気口６ｉの外側
に重なるように配置される。
第１冷却ファン６１Ｂは、第２冷却ファン６２Ｂに対し、第１光源装置４１Ｂが第２光
源装置４２Ｂに対してずれている方向と同じ方向にずれ、＋Ｙ側端部に第２冷却ファン６
２Ｂの−Ｙ側端部が重なるように配置される。すなわち、第１冷却ファン６１Ｂは、第２
冷却ファン６２Ｂの下方に位置し、吸気口６ｉの外側に第２冷却ファン６２Ｂが重なるよ
うに配置される。
また、Ｚ方向において、第１冷却ファン６１Ａと第２冷却ファン６２Ｂとは、略同じ位
置に配置され、第１冷却ファン６１Ｂと第２冷却ファン６２Ａとは、略同じ位置に配置さ
れている。
【００５９】
図６は、上方斜めから見た冷却装置６の分解斜視図である。図７は、下方斜めから見た
冷却装置６の分解斜視図である。
保持部６３は、図５〜図７に示すように、下側保持体６３Ｄ、前段側保持体６３Ｒ、後
段側保持体６３Ｆおよび遮光板６３Ｔを有している。下側保持体６３Ｄ、前段側保持体６
３Ｒ、および後段側保持体６３Ｆは、組み合わされることで、箱状となり、第１冷却ファ
ン６１Ａ，６１Ｂ、および第２冷却ファン６２Ａ，６２Ｂを内部に保持するように形成さ
れている。
【００６０】
下側保持体６３Ｄは、保持部６３の下側を形成し、図６に示すように、第１冷却ファン
６１Ａ，６１Ｂ、および第２冷却ファン６２Ａ，６２Ｂのうちの下側に位置する第２冷却
ファン６２Ａおよび第１冷却ファン６１Ｂを保持する。具体的に、下側保持体６３Ｄは、
Ｙ方向がＸ方向より長い平面視矩形状に形成されており、第２冷却ファン６２Ａおよび第
１冷却ファン６１Ｂの取付用突起部６ｍに対応する位置に円柱状の突起６３１が設けられ
ている。そして、突起６３１には、ネジ穴が設けられている。第２冷却ファン６２Ａおよ
び第１冷却ファン６１Ｂは、取付用突起部６ｍに形成された孔にネジが挿通され、このネ
ジが突起６３１にネジ締めされて下側保持体６３Ｄの上側に固定される。
【００６１】
前段側保持体６３Ｒは、保持部６３の上側における−Ｙ側、すなわち、照明装置３１に
おける光路前段側を形成する。前段側保持体６３Ｒは、下側保持体６３Ｄの突起６３１と
同様の突起（図示省略）を有し、第１冷却ファン６１Ａは、前段側保持体６３Ｒの下側に
ネジ固定される。また、前段側保持体６３Ｒには、第１冷却ファン６１Ａの吸気口６ｉを
開口させる開口部６３２、および第２冷却ファン６２Ａの吸気口６ｉに対応する開口部６
３３が形成されている、そして、開口部６３３の周縁部には、第２冷却ファン６２Ａの吸
気口６ｉの周縁部に向かって突出する筒状部６３４が設けられている。
【００６２】
後段側保持体６３Ｆは、保持部６３の上側における＋Ｙ側、すなわち、照明装置３１に
おける光路後段側を形成する。後段側保持体６３Ｆは、下側保持体６３Ｄの突起６３１と
同様の突起（図示省略）を有し、第２冷却ファン６２Ｂは、後段側保持体６３Ｆの下側に
ネジ固定される。すなわち、後段側保持体６３Ｆは、第１冷却ファン６１Ａ，６１Ｂ、お
よび第２冷却ファン６２Ａ，６２Ｂのうち、照明装置３１における最も光路後段側から順
次配置される１つの冷却ファン（第２冷却ファン６２Ｂ）を保持する。
また、後段側保持体６３Ｆには、第２冷却ファン６２Ｂの吸気口６ｉを開口させる開口
部６３５、および第１冷却ファン６１Ｂの吸気口６ｉに対応する開口部６３６が形成され
ている。そして、開口部６３６の周縁部には、第１冷却ファン６１Ｂの吸気口６ｉの周縁
部に向かって突出する筒状部６３７が設けられている。
【００６３】
第１冷却ファン６１Ａが取り付けられた前段側保持体６３Ｒ、および第２冷却ファン６
２Ｂが取り付けられた後段側保持体６３Ｆは、この順で第２冷却ファン６２Ａおよび第１
冷却ファン６１Ｂが取り付けられた下側保持体６３Ｄにネジ固定される。すなわち、第２
冷却ファン６２Ｂが取り付けられた後段側保持体６３Ｆは、他の冷却ファン（第１冷却フ
ァン６１Ａ，６１Ｂ、第２冷却ファン６２Ａ）が照明装置３１に組み込まれた状態で着脱
可能に構成されている。
【００６４】
また、後段側保持体６３Ｆの上面には、図６に示すように、＋Ｚ方向に延出し、ネジ穴
を有する円柱状の突起６３８が複数形成されている。
また、下側保持体６３Ｄ、前段側保持体６３Ｒおよび後段側保持体６３Ｆには、図５に
示すように、組み合わされた状態で、各冷却ファンの吐出口６ｅを開口させる開口部６３
９が＋Ｘ側および−Ｘ側の側面に形成されている（＋Ｘ側の開口部６３９は図示省略）。
【００６５】
遮光板６３Ｔは、金属で形成されており、図７に示すように、下側保持体６３Ｄの下側
にネジ固定される。遮光板６３Ｔは、冷却装置６の下方からの光、すなわち、反射部５で
反射した光のうち、冷却装置６に向かう光を遮光し、下側保持体６３Ｄ、前段側保持体６
３Ｒ、後段側保持体６３Ｆや、第１冷却ファン６１Ａ，６１Ｂ、および第２冷却ファン６
２Ａ，６２Ｂの劣化を防止する機能を有している。
【００６６】
回路基板６４は、第１冷却ファン６１Ａ，６１Ｂおよび第２冷却ファン６２Ａ，６２Ｂ
と、制御部との電気的接続を中継する機能を有している。
回路基板６４は、図５に示すように、平面視矩形状に形成され、後段側保持体６３Ｆの
突起６３８にネジ固定される。回路基板６４には、第１冷却ファン６１Ａ，６１Ｂおよび
第２冷却ファン６２Ａ，６２ＢそれぞれのケーブルＣＡが接続され、回路基板６４からは
図示しないケーブルが制御部の回路基板に接続されている。なお、回路基板６４は、開口
部６３５，６３６の上方に位置するが、第１冷却ファン６１Ｂおよび第２冷却ファン６２
Ｂが冷却空気を取り込む能力を阻害しないように、開口部６３５，６３６から充分離間し
て配置されている。
【００６７】
ダクト部６５は、４つの冷却ファン（第１冷却ファン６１Ａ，６１Ｂ、第２冷却ファン
６２Ａ，６２Ｂ）と４つの光源装置（第１光源装置４１Ａ，４１Ｂ、第２光源装置４２Ａ
，４２Ｂ）との間にそれぞれ配置される４つのダクト部材を備え、各冷却ファンから吐出
された冷却空気を各光源装置に導く。
図８は、ダクト部材を説明するための模式図である。具体的に、図８は、４つのダクト
部材のうち、第１冷却ファン６１Ａと第１光源装置４１Ａとの間に配置されるダクト部材
６５１、および第２冷却ファン６２Ａと第２光源装置４２Ａとの間に配置されるダクト部
材６５２の近傍を示す断面図である。
【００６８】
ダクト部材６５１は、図８に示すように、第１冷却ファン６１Ａから吐出され、保持部
６３の開口部６３９から−Ｘ方向に進行する冷却空気を−Ｚ方向に導いた後、リフレクタ
ー４１２内の光源４１１の上方に向けて排出するように形成されている。ダクト部材６５
２は、図８に示すように、第２冷却ファン６２Ａから吐出され、保持部６３の開口部６３
９から＋Ｘ方向に進行する冷却空気を−Ｚ方向に導いた後、リフレクター４１２内の光源
４１１の上方に向けて排出するように形成されている。
【００６９】
図示は省略するが、第１冷却ファン６１Ｂと第１光源装置４１Ｂとの間に配置されるダ
クト部材は、ダクト部材６５１と同様に冷却空気を導くように形成され、第２冷却ファン
６２Ｂと第２光源装置４２Ｂとの間に配置されるダクト部材は、ダクト部材６５２と同様
に冷却空気を導くように形成されている。
そして、各光源装置の光源４１１を冷却して暖まった空気は、リフレクター４１２およ
び光源用筐体４１３にそれぞれ形成された通気孔（図示省略）を介して照明装置３１外部
に排出され、図示しない排気ファンによって外装筐体２外部に排出される。
【００７０】
ここで、第１冷却ファン６１Ａ，６１Ｂおよび第２冷却ファン６２Ａ，６２Ｂの配置姿
勢についてさらに詳細に説明する。
図４（ａ）に戻って、第１冷却ファン６１Ａ，６１Ｂおよび第２冷却ファン６２Ａ，６
２Ｂは、吸気口６ｉ側から見て、羽根６ｗが反時計回りに回転する。そして、対向して配
置される光源装置それぞれに冷却空気を送風する冷却ファンは、流通部６ｆが互いの回転
中心軸６ｊの間に位置するように配置される。具体的に、第１冷却ファン６１Ａと第２冷
却ファン６２Ａとは、流通部６ｆが互いの回転中心軸６ｊの間に位置するように配置され
、第１冷却ファン６１Ｂと第２冷却ファン６２Ｂとは、流通部６ｆが互いの回転中心軸６
ｊの間に位置するように配置される。換言すると、第１冷却ファン６１Ａおよび第２冷却
ファン６２Ａは、一方の冷却ファンが取り込んだ冷却空気が他方の冷却ファン側から直線
的に吐出口６ｅに向かうように配置される。同様に、第１冷却ファン６１Ｂおよび第２冷
却ファン６２Ｂは、一方の冷却ファンが取り込んだ冷却空気が他方の冷却ファン側から直
線的に吐出口６ｅに向かうように配置される。
【００７１】
そして、第１冷却ファン６１Ａ，６１Ｂおよび第２冷却ファン６２Ａ，６２Ｂは、冷却
空気を吐出する吐出方向ＦＬがＸ方向（第１方向）に対して傾斜して配置される。また、
その吐出方向ＦＬは、Ｘ方向（第１方向）に対する角度θ１が＋Ｙ方向（第２方向）に対
する角度θ２より小さくなっている。
各冷却ファンは、上述したように配置されるので、重ねられた冷却ファンの吸気口６ｉ
が塞がれることなく、吐出方向ＦＬのＸ方向に対する角度θ１を小さくして、冷却ファン
から吐出された冷却空気を各光源装置に流入させることができる。
【００７２】
以上説明したように、本実施形態によれば、以下の効果を得ることができる。
（１）照明装置３１は、複数の光源装置（第１光源装置４１Ａ，４１Ｂおよび第２光源
装置４２Ａ，４２Ｂ）、および第３方向（上下方向、Ｚ方向）における反射部５の片側（
上側）に配置された冷却装置６を備えている。反射部５の第３方向における周辺部は、光
源装置からの光の光路になることもなく、またデッドスペースになりがちな領域なので、
冷却装置６を効率良く配置することが可能となり、ひいては、第３方向における冷却装置
６の大型化を抑制することができる。よって、高輝度の光を射出すると共に、大型化の抑
制および複数の光源装置の劣化を抑制した照明装置３１を提供することが可能となる。
また、プロジェクター１は、照明装置３１を備えるので、大型化を抑制しつつ、長期に
亘って明るい画像の投写が可能となる。
【００７３】
（２）照明装置３１は、第２方向（＋Ｙ方向）に沿って略直線上に配置され、複数の光
源装置に対応する複数の冷却ファン（第１冷却ファン６１Ａ，６１Ｂ、および第２冷却フ
ァン６２Ａ，６２Ｂ）を備える。これによって、第１方向（Ｘ方向）における冷却装置６
の大型化を抑制することができる。
また、外装筐体２に設けられた吸気口（図示省略）から供給される外気を、複数の冷却
ファンまで効率的に導くことができ、複数の光源装置を確実に冷却できる照明装置３１の
提供が可能となる。
【００７４】
（３）複数の冷却ファンは、シロッコファンで構成され、吸気口６ｉが反射部５とは反
対側を向いて配置される。シロッコファンは、軸流ファンに比べて吐出する冷却空気の吐
出圧が高いので、各光源装置内の光源４１１に冷却空気を集中して送風することができる
。よって、冷却空気を効率良く取り込み、効率良く各光源装置を冷却できる冷却装置６を
備えた照明装置３１を提供することが可能となる。
【００７５】
（４）各冷却ファンは、それぞれ冷却対象となる光源装置の位置に対応して配置されて
いるので、それぞれの冷却ファンからそれぞれの光源装置に至る流路の長さや形状におい
て、同等のものとすることが可能となる。よって、各光源装置を効率良く、同様に冷却す
ることが可能となる。
【００７６】
（５）対向して配置される光源装置それぞれに冷却空気を送風する冷却ファンは、一部
が重なるように配置される。これによって、第２方向（＋Ｙ方向）における冷却装置６の
大型化の抑制、ひいては第２方向における照明装置３１の大型化の抑制が可能となる。ま
た、冷却ファンが重ならないように配置される構成に比べ、照明装置３１を大型化するこ
となく平面視におけるサイズが大型のファンを採用できるので、送風する冷却空気の風量
を高め、より効率的に各光源装置を冷却することが可能となる。
【００７７】
（６）各冷却ファンは、冷却空気を吐出する吐出方向ＦＬが第１方向に対して傾斜し、
第２方向に対する角度θ２より第１方向に対する角度θ１が小さくなるように配置されて
いる。これによって、重なり合う２つの冷却ファン（第１冷却ファン６１Ａと第２冷却フ
ァン６２Ａ、および、第１冷却ファン６１Ｂと第２冷却ファン６２Ｂ）において、吸気口
６ｉが塞がれることなく、冷却対象とする光源装置の中央に向けて冷却空気を送風するこ
とが可能となる。よって、各光源装置を効率良く冷却することが可能となる。
また、各冷却ファンとして吐出する冷却空気の風速や風量が同等の能力を有するものを
用いることが可能なので、各光源装置を同様に冷却することが可能となる。
【００７８】
（７）各冷却ファンは、重なり合う２つの冷却ファンにおいて、流通部６ｆが互いの回
転中心軸６ｊの間に位置するように配置され、吐出方向の角度θ１が小さく構成されてい
る。これによって、各冷却ファンから吐出された冷却空気の風量や風速の損失を抑制し、
効率良く各光源装置内の光源４１１を冷却することが可能となる。
【００７９】
（８）照明装置３１は、互いに対向する第１方向に光を射出する２組の第１光源装置４
１Ａ，４１Ｂ、第２光源装置４２Ａ，４２Ｂ、および各光源装置に冷却空気を送風する冷
却装置６を備えているので、より高輝度の光を射出すると共に、確実に４つの光源装置を
冷却することが可能となる。
【００８０】
（９）冷却装置は、第１冷却ファン６１Ａ，６１Ｂ、および第２冷却ファン６２Ａ，６
２Ｂのうち、照明装置３１における最も光路後段側に配置される第２冷却ファン６２Ｂを
保持する後段側保持体６３Ｆを備え、後段側保持体６３Ｆは、他の冷却ファン（第１冷却
ファン６１Ａ，６１Ｂ、および第２冷却ファン６２Ａ）が照明装置３１に組み込まれた状
態で着脱可能に構成されている。これによって、プロジェクター１内の後段側保持体６３
Ｆの近傍に配置される部材や装置を容易に取り外すことが可能となる。よって、後段側保
持体６３Ｆの近傍に配置されるこれらの部材や装置の修理や交換を容易に行うことが可能
となる。後段側保持体６３Ｆの近傍に配置される装置としては、例えば、本実施形態では
説明を省略したが、照明装置３１から射出される光の通過光量を調整する調光装置等があ
る。また、後段側保持体６３Ｆの近傍に配置される部材や装置として調光装置に限らず、
照明装置３１から射出される光が照射される光学素子等であってもよい。
【００８１】
（変形例）
なお、前記実施形態は、以下のように変更してもよい。
前記実施形態の照明装置は、互いに対向する第１方向に光を射出する２組の第１光源装
置４１Ａ，４１Ｂ、第２光源装置４２Ａ，４２Ｂを備えているが、２組に限らず、１組や
第２方向に沿って配置される３組以上の第１光源装置および第２光源装置を備えた照明装
置であってもよい。
また、対向する方向に光を射出する１組の第１光源装置および第２光源装置を少なくと
も備えていれば、３つ以上の奇数個の光源装置を備える構成であってもよい。
【００８２】
前記実施形態の照明装置３１は、２組の第１光源装置４１Ａ，４１Ｂ、第２光源装置４
２Ａ，４２Ｂが射出した光が第１レンズアレイ３２１における平面視上下左右に分割され
たような４つの領域それぞれに入射するように構成されているが、例えば、１組の第１光
源装置および第２光源装置を備える構成において、各光源装置が射出した光がそれぞれ第
１レンズアレイ３２１の全面に入射するように構成してもよい。
【００８３】
前記実施形態の冷却装置６は、４つの光源装置（第１光源装置４１Ａ，４１Ｂ、第２光
源装置４２Ａ，４２Ｂ）個別に対応する４つの冷却ファン（第１冷却ファン６１Ａ，６１
Ｂ、第２冷却ファン６２Ａ，６２Ｂ）を備えているが、光源装置の数と冷却ファンの数と
が異なるように構成してもよい。
【００８４】
前記実施形態の第１冷却ファン６１Ａ，６１Ｂ、および第２冷却ファン６２Ａ，６２Ｂ
は、円柱状の片側（＋Ｚ側）に設けられた冷却空気を取り込む吸気口６ｉを有するとした
が、これに限定されない。吸気口６ｉを−Ｚ側に設けてもよい。換言すると、第１冷却フ
ァン６１Ａ，６１Ｂ、および第２冷却ファン６２Ａ，６２Ｂは、＋Ｚ側と−Ｚ側の双方に
吸気口６ｉを有する両面吸気のシロッコファンとしてもよい。
また、保持部６３を構成する下側保持体６３Ｄ、前段側保持体６３Ｒ、後段側保持体６
３Ｆおよび遮光板６３Ｔは、−Ｚ側に設けられた吸気口６ｉに対応する位置に、冷却空気
を導入するための開口を設けてもよい。
【００８５】
前記実施形態の照明装置３１は、冷却装置６が反射部５の上方に配置されているが、反
射部５の下方に冷却装置６を配置するように構成してもよい。
また、冷却装置６が備える複数の冷却ファンを反射部５の上方および下方に分けて配置
する構成も可能である。
【００８６】
図９は、前記実施形態で用いたシロッコファンとは反対側に吸気口６ｉが設けられたシ
ロッコファンを用いた場合の変形例を示す図であり、第１光源装置４１Ａ、第２光源装置
４２Ａ、および第１光源装置４１Ａ、第２光源装置４２Ａそれぞれに対応する第１冷却フ
ァン１６１、第２冷却ファン１６２を示す平面図である。
第１冷却ファン１６１および第２冷却ファン１６２は、図９に示すように、吸気口１６
ｉ側から見て、羽根６ｗが時計回りに回転し、流通部１６ｆが互いの回転中心軸１６ｊの
間の外側に位置するように配置される。そして、第１冷却ファン１６１および第２冷却フ
ァン１６２は、取り込んだ冷却空気を互いの回転中心軸１６ｊの間とは反対側に流通させ
、吐出口１６ｅから吐出する。
第１冷却ファン１６１、第２冷却ファン１６２から吐出される冷却空気の吐出方向ＦＬ
のＸ方向（第１方向）に対する角度θ３は、前記実施形態の角度θ１（図４（ａ）参照）
より大きくなるが、冷却空気を光源装置により斜めから流入させる形態に適用することが
可能である。
【００８７】
前記実施形態の後段側保持体６３Ｆは、４つの冷却ファン（第１冷却ファン６１Ａ，６
１Ｂ、第２冷却ファン６２Ａ，６２Ｂ）のうち、最も光路後段側から順次配置される１つ
の冷却ファン（第２冷却ファン６２Ｂ）を保持するように構成されているが、この構成に
限らない。すなわち、最も光路後段側から順次配置される２つの冷却ファン（第２冷却フ
ァン６２Ｂおよび第１冷却ファン６１Ｂ）を保持するように後段側保持体を構成し、他の
冷却ファン（第１冷却ファン６１Ａ、第２冷却ファン６２Ａ）が照明装置に装着された状
態で、この後段側保持体が着脱可能となる形態であってもよい。
【００８８】
前記実施形態のプロジェクター１は、光変調装置として透過型の液晶パネルを用いてい
るが、反射型の液晶パネルを利用したものであってもよい。また、光変調装置としてマイ
クロミラー型の光変調装置、例えば、ＤＭＤ（Digital Micromirror Device）等を利用し
たものであってもよい。
【００８９】
前記実施形態の光変調装置は、Ｒ光、Ｇ光、およびＢ光に対応する３つの光変調装置を
用いるいわゆる３板方式を採用しているが、これに限らず、単板方式を採用してもよく、
あるいは、２つまたは４つ以上の光変調装置を備えるプロジェクターにも適用できる。
【符号の説明】
【００９０】
１…プロジェクター、２…外装筐体、３…光学ユニット、５…反射部、６…冷却装置、
６ｅ，１６ｅ…吐出口、６ｆ，１６ｆ…流通部、６ｉ，１６ｉ…吸気口、６ｊ，１６ｊ…
回転中心軸、６ｗ…羽根、３１…照明装置、３６…投写レンズ（投写光学装置）、４１Ａ
，４１Ｂ…第１光源装置、４１Ａｘ，４１Ｂｘ，４２Ａｘ，４２Ｂｘ…光軸、４２Ａ，４
２Ｂ…第２光源装置、６１Ａ，６１Ｂ，１６１…第１冷却ファン、６２Ａ，６２Ｂ，１６
２…第２冷却ファン、６３…保持部、６３Ｄ…下側保持体、６３Ｆ…後段側保持体、６３
Ｒ…前段側保持体、６５…ダクト部、３５１…光変調装置、４１１…光源、４１２…リフ
レクター、４１３…光源用筐体、θ１，θ２，θ３…角度。
【図１】
2017003792.tif 000003
【図２】
2017003792.tif 000004
【図３】
2017003792.tif 000005
【図４】
2017003792.tif 000006
【図５】
2017003792.tif 000007
【図６】
2017003792.tif 000008
【図７】
2017003792.tif 000009
【図８】
2017003792.tif 000010
【図９】
2017003792.tif 000011